(57)【要約】  本発明は、照明手段（３）及び液晶ディスプレイ（２）を含むディスプレイデバイスに関する。
2013528293.tif 000002
【特許請求の範囲】
【請求項１】
ディスプレイデバイスであって、
液晶ディスプレイ（２）を照明するべく構成される手段（３）を含み、
前記手段（３）は前記液晶ディスプレイを加熱するためにも設けられるディスプレイデバイス。
【請求項２】
前記手段（３）は照明手段、特にＬＥＤ、好ましくは強力ＬＥＤ及び／又はＯＬＥＤ、である、請求項１に記載のディスプレイデバイス。
【請求項３】
制御手段（１）を含む、請求項１又は２に記載のディスプレイデバイス。
【請求項４】
温度センサ（４）、好ましくは負の温度係数のサーミスタ及び／又は正の温度係数のサーミスタ、を含み、
前記サーミスタは前記制御手段（１）に信号を送信し、前記制御手段（１）は前記信号に基づいて前記手段（３）を制御する、請求項１から３のいずれか一項に記載のディスプレイデバイス。
【請求項５】
前記制御手段（１）は、画像データ、特にデジタル画像データ、を受け取り及び処理をするべく設けられる、請求項３又は４に記載のディスプレイデバイス。
【請求項６】
前記制御手段（１）は、前記画像データの情報に基づいて前記手段（３）の照明の強度を制御する、請求項５に記載のディスプレイデバイス。
【請求項７】
請求項１から６のいずれか一項に記載のディスプレイデバイスを動作させる方法であって、
前記照明手段（３）を加熱することによって、前記液晶ディスプレイ（２）も加熱される方法。
【請求項８】
前記液晶ディスプレイ（２）の温度が測定され、この測定に基づいて前記照明手段（３）が制御される、請求項７に記載の方法。
【請求項９】
前記制御手段（１）は画像データを受け取り、画素の輝度値によって、観察者が知覚する画像がその輝度に関する限り実質的に不変となるように前記照明手段（３）の強度が調整される、請求項７又は８に記載の方法。
【請求項１０】
前記画素の輝度値が前記照明の強度値で割られ、この値が制御手段（１）によって一定に維持される、請求項９に記載の方法。
【発明の詳細な説明】
【技術分野】
【０００１】
本発明は、照明手段及び液晶ディスプレイを含むディスプレイデバイスに関する。
【背景技術】
【０００２】
液晶ディスプレイ（ＬＣＤ）を含むディスプレイデバイスが、多くの異なる技術分野で長年使用されている。これは、例えばテレビジョンセット、コンピュータスクリーン、及び携帯電話のために広く使用されている。
【０００３】
液晶ディスプレイを使用しての画像表現、特に動画を表現する場合の品質のための重要なパラメータは、液晶ディスプレイの応答時間である。応答時間は、液晶ディスプレイの画素が第１所与状態から第２所与状態へ動くのに必要な持続時間を特定する。液晶ディスプレイの応答時間が長すぎると、速い動画を表現している場合に、観察者によって不利と考えられるインモーション不鮮鋭度（いわゆる「モーションブラー」）が生じる。したがって、可能な限り短い応答時間を有する液晶ディスプレイを与える大きな必要性が存在する。
【０００４】
さらに、液晶ディスプレイの応答時間は温度依存であり、特に−４０℃から０℃までの温度範囲内のように温度が低下すると上昇することが知られている。したがって、かかる温度範囲においても画像表現を確実にするには、応答時間の温度依存上昇を補償又は防止する必要がある。
【０００５】
この点において、特許文献１は、液晶ディスプレイを含むディスプレイデバイスのための方法を提案する。液晶ディスプレイの応答時間の改善は、液晶ディスプレイの画素状態の変化に必要な印加電圧に、いわゆる「オーバドライブパラメータ」という特定の係数を乗じることによって達成される。しかしながら、この方法は好ましくない。使用されるオーバドライブパラメータは、温度依存であるから、非常に広い範囲の較正測定により決定する必要があるか又は複雑なアルゴリズムを使用して推定する必要がある。このため、提案される方法は、比較的時間がかかり及び／又は計算集中的となる。さらに、測定によれば、このアプローチは−４０℃から０℃までの温度範囲では実質的に役に立たない。
【０００６】
対照的に、特許文献２は、液晶ディスプレイ、温度センサ、及び加熱手段を含むディスプレイデバイスを提案する。液晶ディスプレイの温度変化は、温度センサを使用してモニタされ、加熱手段を使用して補償される。これにより、液晶ディスプレイに適した動作温度が確実となり、液晶ディスプレイの、本質的に一定かつ適切に短い応答時間が確実となる。このディスプレイデバイスは不利である。付加的な加熱手段の使用が高コストをもたらし、ガラスの透過率すなわち光照明器具効率を低下させるからである。
【先行技術文献】
【特許文献】
【０００７】
【特許文献１】欧州特許出願公開第１９７３０９２（Ａ２）号明細書
【特許文献２】欧州特許出願公開第０４３８０９３（Ａ２）号明細書
【発明の概要】
【０００８】
したがって、本発明の目的は、液晶ディスプレイの応答時間における温度依存上昇が防止される液晶ディスプレイを有するディスプレイデバイスを与えることにある。本ディスプレイデバイスは、特にコスト効率良く実現される。
【０００９】
本目的は、液晶ディスプレイを照明するべく構成される手段、特に照明手段、を含むディスプレイデバイスによって達成される。当該手段はさらに、液晶ディスプレイを加熱するべく与えられる。好ましくは、当該手段は照明手段として、より好ましくはＬＥＤとして与えられる。本発明によれば、照明手段を使用して液晶ディスプレイを加熱することができる。液晶ディスプレイの十分に高い動作温度が与えられ、液晶ディスプレイの応答時間における温度依存上昇が低減される。従来技術と対比すると、本発明の主題に係る液晶ディスプレイの加熱は、付加的な加熱手段なしで実現される。したがって、特に経済的かつコンパクトとなる。
【００１０】
液晶ディスプレイの照明及びその温度制御がディスプレイ品質が低下することのない手段により有効となり得ることは、当業者にとって、極めて驚くべきかつ予測し得ないことであった。本発明に係るディスプレイデバイスは、非常に簡単かつ非常に使用が容易に構成される。
【００１１】
本発明の好ましい実施例において、ディスプレイデバイスは温度センサ及び制御手段を含む。温度センサは、液晶ディスプレイの温度を測定するべく設けられる。温度センサは制御手段に接続される。制御手段は、照明手段を制御するべく設けられる。制御手段は、好ましくはマイクロコントローラである。これにより、温度センサが、液晶ディスプレイの温度を測定し、当該測定された温度値を制御手段に送信することができる。制御手段は、好ましくは、当該制御手段が、液晶ディスプレイの測定された温度値と所定の所望温度との間の偏差に応じて照明手段の強度を調整するように設けられる。液晶ディスプレイの温度が低すぎる場合、照明手段の強度増加によって液晶ディスプレイの加熱がもたらされ、液晶ディスプレイの温度が高すぎる場合、照明手段の強度低下によって液晶ディスプレイの冷却がもたらされる。したがって、有利なことに、動作に適した所定の所望温度に液晶ディスプレイを維持すること、すなわち実質一定かつ十分短い、液晶ディスプレイの応答時間を保証することができる。
【００１２】
さらに好ましくは、液晶ディスプレイを制御する制御手段が設けられる。制御手段は、デジタルデータ形式の画像情報を受け取り及び処理するべく構成される。これにより可能となるのは、好ましい実施例において、被表示画像の画素の輝度値であって受け取られた画像情報に含まれる輝度値を、制御手段を使用して照明手段の強度に応じて調整できること、及び当該調整された輝度値に応じて液晶ディスプレイが制御手段により制御されることである。これは、特に液晶ディスプレイの温度を規制する上で照明手段の強度が変わる場合であっても、観察者が知覚する表示画像の輝度を実質的に一定に維持できる点で有利である。例えば、好ましくは、照明手段の強度に所定強度係数を乗じる場合に、被表示画像の、当該受け取られた画像情報に含まれる画素の輝度値を、同じ強度係数で割ることが意図される。したがって、照明手段の強度が高くても、観察者が快適と知覚する画像表現が与えられる。夕暮れ又は夜間のような微光環境における本発明に係るディスプレイデバイスの動作においては特に、明るすぎて観察者の目がくらむような画像表現を、有利にも回避することができる。
【００１３】
本発明のさらなる目的は、本発明に係るディスプレイデバイスを動作させる方法に関する。照明手段を使用して液晶ディスプレイが加熱される。本発明によれば、好ましくは、液晶ディスプレイの温度が温度センサを使用して測定される。測定温度値は制御手段に送信される。測定温度値は、制御手段により所定の所望温度と対比される。制御手段は、測定温度値と所定の所望温度との間に偏差がある場合、修正強度係数により照明手段の強度を調整する。特に好ましくは、制御手段が、デジタルデータストリーム形式で被表示画像の画像情報を受け取ることが企図される。さらに、制御手段は、受け取られた画像情報に内在する当該画素の輝度値を、照明手段の強度に適合させる。その結果、観察者が知覚する画像の輝度が実質的に不変のままとなる。制御手段は、調整された輝度値に応じて液晶ディスプレイを制御する。極めて特に好ましいのは、当該画素の輝度値を照明手段の強度に適合するべく当該画素の輝度値が強度係数で割られることである。したがって、相対的に簡単なプロセスを使用して、液晶ディスプレイの温度を適切な動作温度に維持することができる。すなわち、液晶ディスプレイの応答時間の温度依存上昇が低減されるのと同時に、被表示画像の輝度調整によって、観察者が快適と知覚する画像表現を保証することができる。
【００１４】
好ましくは、照明手段の強度は、照明手段の給電電流の振幅によって制御される。より好ましくは、照明手段の強度は、パルス幅変調によって制御される。したがって、有利なことに、照明手段の強度を、低強度範囲であっても正確に規制することができる。
【００１５】
本発明は、図面を使用して及びさらなる利点及び詳細を与えることによってさらに説明される。
【図面の簡単な説明】
【００１６】
【図１】本発明に係るディスプレイデバイスの一実施例の流れ図を示す。
【発明を実施するための形態】
【００１７】
図１において、本発明に係るディスプレイデバイスの一実施例の流れ図が示される。図示の実施例によれば、ディスプレイデバイスは、制御手段１、液晶ディスプレイ２、及び照明手段３を含む。照明手段３は液晶ディスプレイ２を照明するべく設けられる。照明手段３はさらに、液晶ディスプレイ２を加熱するべく設けられる。制御手段１は、液晶ディスプレイ２を制御するべく及び照明手段３の強度を制御するべく設けられる。さらに、ディスプレイデバイスは、液晶ディスプレイ２に温度センサ４を含む。温度センサ４は制御手段１に接続される。制御手段１はさらに、被表示画像の画像情報５をデジタルデータストリーム形式で受け取るべく設けられる。画像情報５は特に、被表示画像の各画素の色値及び輝度値を含む。例えば、画像情報５は、ＲＧＢ値のような、各画素の色値及び輝度値を含む。当該画素の色値及び輝度値はまた、異なる色空間内の値として表現することもできる。制御手段１はその後、受け取られた画像情報５の画素の色値及び輝度値に応じて、制御信号６を使用して液晶ディスプレイ２の画素を制御する。当該画素の色値及び輝度値は特に、制御手段１によって事前に変調することができる。温度センサ４は、液晶ディスプレイ２の温度を測定し、当該測定温度値を制御手段１に送信する。制御手段１は、測定温度値を所定の所望温度と対比する。所定の所望温度とは例えば、液晶ディスプレイ２の十分短い応答時間に適した液晶ディスプレイ２の動作温度である。そして、制御手段１は、測定温度値と所定の所望温度との間に偏差がある場合、液晶ディスプレイ２の温度が所定の所望温度に本質的に整合するように、照明手段３の強度を強度係数によって調整する。したがって、本発明によれば、液晶ディスプレイ２を適切な動作温度に維持することができる。その結果、低下する温度に起因する応答時間の上昇が低減される。本発明によれば、制御手段１が受け取る画像情報５が、制御手段１によって処理されることがさらに企図される。その結果、被表示画像の画素の、受け取られた色値及び輝度値を、照明手段３の強度に適合することができる。また、照明手段３の強度に偏差が生じても、観察者が知覚する画像表現の輝度は実質的に一定のままである。好ましくは、受け取られた画像情報５は、ＨＳＶ色空間の値のような画素の色値及び輝度値を含む。当該画素の輝度を照明手段３の輝度に適合させるべく、輝度（Ｖ値）のみが、照明手段３の強度を制御するのに使用された強度係数で割られる必要がある。当業者にとって明らかなように、受け取られた画像情報５は、当該画素の色値及び輝度値を、例えばＲＧＢ色空間の値のような他の色空間の値として含み得る。また、当該他の色空間の値は最初に制御手段１によって、例えばＨＳＶ色空間のような適切な色空間の値に変換される。制御手段１による当該画素の輝度値の処理後、制御手段１は、被表示画像の画素の当該調整された色値及び輝度値に応じて、液晶ディスプレイ２の画素を、制御信号６を使用して制御する。その結果、照明手段３の強度に変化が生じる場合であっても、画像表現は実質的に一定のままとなる。したがって、有利なことに、本発明に係るディスプレイデバイスにより、液晶ディスプレイ２を加熱するべく照明手段３を使用して、温度低下に対する液晶ディスプレイ２の応答時間上昇を低減することと同時に、観察者が快適と知覚する画像表現を与えることができる。
【符号の説明】
【００１８】
１−制御手段
２−液晶ディスプレイ
３−手段、照明手段、加熱手段
４−温度センサ
５−画像情報
【図１】
2013528293.tif 000003
【国際調査報告】
2013528293.tif 000004
2013528293.tif 000005
2013528293.tif 000006
2013528293.tif 000007
2013528293.tif 000008